【手続補正書】
【提出日】平成21年4月8日(2009.4.8)
【手続補正１】
【補正対象書類名】特許請求の範囲
【補正対象項目名】全文
【補正方法】変更
【補正の内容】
【特許請求の範囲】
【請求項１】
記録媒体上の記録材の量を測定する記録材量測定方法であって、
前記記録材が定着する前記記録媒体の情報を入手する記録媒体情報入手ステップと、
前記記録媒体に定着された前記記録材にレーザ光を照射する光照射ステップと、
前記照射されたレーザ光の反射光の光強度分布を検出する光強度分布検出ステップと、
前記記録媒体情報と前記検出された光強度分布とを比較する光強度分布比較ステップと、
前記光強度分布比較ステップにおける比較結果に基づいて前記記録材の量を算出する記録材量算出ステップとを備えることを特徴とする記録材量測定方法。
【請求項２】
前記記録媒体情報は前記記録媒体を特定するための情報であることを特徴とする請求項１記載の記録材量測定方法。
【請求項３】
前記光強度分布比較ステップは、前記検出された光強度分布を前記記録材の表面の粗さを示す表面粗さ情報に変換して該変換された表面粗さ情報と前記記録媒体情報とを比較することを特徴とする請求項１又は２記載の記録材量測定方法。
【請求項４】
前記記録媒体情報に基づいて前記記録媒体に定着させる前記記録材の目標量を演算する目標記録材量演算ステップを更に備えることを特徴とする請求項１乃至３のいずれか１項に記載の記録材量測定方法。
【請求項５】
記録媒体上の記録材の量を測定する記録材量測定方法であって、
前記記録媒体及び前記記録媒体に定着された前記記録材にレーザ光を照射する光照射ステップと、
前記照射されたレーザ光の反射光の光強度分布を検出する光強度分布検出ステップと、
前記検出された光強度分布のうち前記記録媒体の反射光の光強度分布と前記記録材の反射光の光強度分布とを比較する光強度分布比較ステップと、
前記光強度分布比較ステップにおける比較結果に基づいて前記記録材の量を算出する記録材量算出ステップとを備えることを特徴とする記録材量測定方法。
【請求項６】
前記光強度分布比較ステップは前記記録媒体の反射光の光強度分布と前記記録材の反射光の光強度分布との差を算出し、前記記録材量算出ステップは前記算出した差に基づいて前記記録材量を算出することを特徴とする請求項５記載の記録材量測定方法。
【請求項７】
前記光強度分布比較ステップは、前記検出された光強度分布を前記記録媒体及び前記記録材の表面粗さを示す表面粗さ情報に変換し、前記記録材量算出ステップは前記変換された表面粗さ情報に基づいて前記記録材量を算出することを特徴とする請求項５又は６記載の記録材量測定方法。
【請求項８】
前記記録材量算出ステップは前記算出された差と前記変換された表面粗さ情報とに基づいて前記記録材量を算出することを特徴とする請求項７記載の記録材量測定方法。
【請求項９】
前記光照射ステップは、前記記録材が定着される前の前記記録媒体に前記レーザ光を照射する記録媒体光照射ステップと、前記記録媒体に定着された前記記録材に前記レーザ光を照射する記録材光照射ステップとを備え、前記光強度分布比較ステップは、前記記録材が定着される前の前記記録媒体の反射光の光強度分布と、前記記録媒体に定着された前記記録材の反射光の光強度分布とを比較して、前記記録媒体の反射光の光強度分布の検出領域と、前記記録材の反射光の光強度分布の検出領域との位置合せを行う位置合せステップを更に備え、前記レーザ光は前記記録材より広い領域を照射することを特徴とする請求項５乃至８のいずれか１項に記載の記録材量測定方法。
【請求項１０】
前記記録材は透明又は有色の記録材であり、前記記録媒体の表面特性を変化させる記録材であることを特徴とする請求項５乃至９のいずれか１項に記載の記録材量測定方法。
【請求項１１】
請求項１乃至１０のいずれか１項に記載の記録材量測定方法を備える画像形成方法であって、
前記算出された記録材量に基づいて、前記記録媒体に画像を形成するために前記記録媒体に定着する前記記録材の量を制御する記録材量制御ステップを備えることを特徴とする画像形成方法。
【請求項１２】
前記記録媒体及び前記記録媒体に定着された前記記録材に前記レーザ光よりも広帯域の広帯域光を照射する広帯域光照射ステップと、
前記照射された広帯域光の反射光を検出する広帯域光反射光検出ステップとを更に備え、
前記記録材量制御ステップは前記検出された前記広帯域光の反射光と前記記録材量算出ステップの算出結果とに基づいて前記記録媒体に定着する前記記録材の量を制御することを特徴とする請求項１１記載の画像形成方法。
【請求項１３】
前記記録材量制御ステップは、前記記録材量のうち最大載り量を前記記録材量算出ステップの算出結果に基づいて制御し、前記記録材量のうち前記最大載り量以外を前記検出された広帯域光反射光に基づいて制御することを特徴とする請求項１２記載の画像形成方法。
【請求項１４】
記録媒体上の記録材の量を測定する記録材量測定装置であって、
前記記録材が定着する前記記録媒体の情報を記憶する記録媒体情報記憶手段と、
前記記録媒体に定着された前記記録材にレーザ光を照射する光照射手段と、
前記照射されたレーザ光の反射光の光強度分布を検出する光強度分布検出手段と、
前記記録媒体情報と前記検出された光強度分布とを比較する光強度分布比較手段と、
前記光強度分布比較手段による比較結果に基づいて前記記録材の量を算出する記録材量算出手段とを備えることを特徴とする記録材量測定装置。
【請求項１５】
前記記録媒体情報は前記記録媒体を特定するための情報であることを特徴とする請求項１４記載の記録材量測定装置。
【請求項１６】
前記光強度分布比較手段は、前記検出された光強度分布を前記記録材の表面の粗さを示す表面粗さ情報に変換して該変換された表面粗さ情報と前記記録媒体情報とを比較することを特徴とする請求項１４又は１５記載の記録材量測定装置。
【請求項１７】
前記記録媒体情報に基づいて前記記録媒体に定着させる前記記録材の目標量を演算する目標記録材量演算手段を更に備えることを特徴とする請求項１４乃至１６のいずれか１項に記載の記録材量測定装置。
【請求項１８】
記録媒体上の記録材の量を測定する記録材量測定装置であって、
前記記録媒体及び前記記録媒体に定着された前記記録材にレーザ光を照射する光照射手段と、
前記照射されたレーザ光の反射光の光強度分布を検出する光強度分布検出手段と、
前記検出された光強度分布のうち前記記録媒体の反射光の光強度分布と前記記録材の反射光の光強度分布とを比較する光強度分布比較手段と、
前記光強度分布比較手段による比較結果に基づいて前記記録材の量を算出する記録材量算出手段とを備えることを特徴とする記録材量測定装置。
【請求項１９】
前記光強度分布比較手段は前記記録媒体の反射光の光強度分布と前記記録材の反射光の光強度分布との差を算出し、前記記録材量算出手段は前記算出した差に基づいて前記記録材量を算出することを特徴とする請求項１８記載の記録材量測定装置。
【請求項２０】
前記光強度分布比較手段は、前記検出された光強度分布を前記記録媒体及び前記記録材の表面粗さを示す表面粗さ情報に変換し、前記記録材量算出手段は前記変換された表面粗さ情報に基づいて前記記録材量を算出することを特徴とする請求項１８又は１９記載の記録材量測定装置。
【請求項２１】
前記記録材量算出手段は前記算出された差と前記変換された表面粗さ情報とに基づいて前記記録材量を算出することを特徴とする請求項２０記載の記録材量測定装置。
【請求項２２】
前記光照射手段は、前記記録材が定着される前の前記記録媒体に前記レーザ光を照射する記録媒体光照射手段と、前記記録媒体に定着された前記記録材に前記レーザ光を照射する記録材光照射手段とを備え、前記光強度分布比較手段は、前記記録材が定着される前の前記記録媒体の反射光の光強度分布と、前記記録媒体に定着された前記記録材の反射光の光強度分布とを比較して、前記記録媒体の反射光の光強度分布の検出領域と、前記記録材の反射光の光強度分布の検出領域との位置合せを行う位置合せ手段を更に備え、前記レーザ光は前記記録材より広い領域を照射することを特徴とする請求項１８乃至２１のいずれか１項に記載の記録材量測定装置。
【請求項２３】
前記記録材は透明又は有色の記録材であり、前記記録媒体の表面特性を変化させる記録材であることを特徴とする請求項１８乃至２２のいずれか１項に記載の記録材量測定装置。
【請求項２４】
請求項１４乃至２３のいずれか１項に記載の記録材量測定装置を備える画像形成装置であって、
前記算出された記録材量に基づいて、前記記録媒体に画像を形成するために前記記録媒体に定着する前記記録材の量を制御する記録材量制御手段を備えることを特徴とする画像形成装置。
【請求項２５】
前記記録媒体及び前記記録媒体に定着された前記記録材に前記レーザ光よりも広帯域の広帯域光を照射する広帯域光照射手段と、
前記照射された広帯域光の反射光を検出する広帯域光反射光検出手段とを更に備え、
前記記録材量制御手段は前記検出された前記広帯域光の反射光と前記記録材量算出手段の算出結果とに基づいて前記記録媒体に定着する前記記録材の量を制御することを特徴とする請求項２４記載の画像形成装置。
【請求項２６】
前記記録材量制御手段は、前記記録材量のうち最大載り量を前記記録材量算出手段の算出結果に基づいて制御し、前記記録材量のうち前記最大載り量以外を前記検出された広帯域光反射光に基づいて制御することを特徴とする請求項２５記載の画像形成装置。
【手続補正２】
【補正対象書類名】明細書
【補正対象項目名】００２５
【補正方法】変更
【補正の内容】
【００２５】
上記目的を達成するために、請求項１記載の記録材量測定方法は、記録媒体上の記録材の量を測定する記録材量測定方法であって、前記記録材が定着する前記記録媒体の情報を入手する記録媒体情報入手ステップと、前記記録媒体に定着された前記記録材にレーザ光を照射する光照射ステップと、前記照射されたレーザ光の反射光の光強度分布を検出する光強度分布検出ステップと、前記記録媒体情報と前記検出された光強度分布とを比較する光強度分布比較ステップと、前記光強度分布比較ステップにおける比較結果に基づいて前記記録材の量を算出する記録材量算出ステップとを備えることを特徴とする。
【手続補正３】
【補正対象書類名】明細書
【補正対象項目名】００２６
【補正方法】変更
【補正の内容】
【００２６】
請求項５記載の記録材量測定方法は、記録媒体上の記録材の量を測定する記録材量測定方法であって、前記記録媒体及び前記記録媒体に定着された前記記録材にレーザ光を照射
する光照射ステップと、前記照射されたレーザ光の反射光の光強度分布を検出する光強度分布検出ステップと、前記検出された光強度分布のうち前記記録媒体の反射光の光強度分布と前記記録材の反射光の光強度分布とを比較する光強度分布比較ステップと、前記光強度分布比較ステップにおける比較結果に基づいて前記記録材の量を算出する記録材量算出ステップとを備えることを特徴とする。
【手続補正４】
【補正対象書類名】明細書
【補正対象項目名】００２７
【補正方法】変更
【補正の内容】
【００２７】
請求項１１記載の画像形成方法は、請求項１乃至１０のいずれか１項に記載の記録材量測定方法を備える画像形成方法であって、前記算出された記録材量に基づいて、前記記録媒体に画像を形成するために前記記録媒体に定着する前記記録材の量を制御する記録材量制御ステップを備えることを特徴とする。
【手続補正５】
【補正対象書類名】明細書
【補正対象項目名】００２８
【補正方法】変更
【補正の内容】
【００２８】
請求項１４記載の記録材量測定装置は、記録媒体上の記録材の量を測定する記録材量測定装置であって、前記記録材が定着する前記記録媒体の情報を記憶する記録媒体情報記憶手段と、前記記録媒体に定着された前記記録材にレーザ光を照射する光照射手段と、前記照射されたレーザ光の反射光の光強度分布を検出する光強度分布検出手段と、前記記録媒体情報と前記検出された光強度分布とを比較する光強度分布比較手段と、前記光強度分布比較手段による比較結果に基づいて前記記録材の量を算出する記録材量算出手段とを備えることを特徴とする。
【手続補正６】
【補正対象書類名】明細書
【補正対象項目名】００２９
【補正方法】変更
【補正の内容】
【００２９】
請求項１８記載の記録材量測定装置は、記録媒体上の記録材の量を測定する記録材量測定装置であって、前記記録媒体及び前記記録媒体に定着された前記記録材にレーザ光を照射する光照射手段と、前記照射されたレーザ光の反射光の光強度分布を検出する光強度分布検出手段と、前記検出された光強度分布のうち前記記録媒体の反射光の光強度分布と前記記録材の反射光の光強度分布とを比較する光強度分布比較手段と、前記光強度分布比較手段による比較結果に基づいて前記記録材の量を算出する記録材量算出手段とを備えることを特徴とする。
【手続補正７】
【補正対象書類名】明細書
【補正対象項目名】００３０
【補正方法】変更
【補正の内容】
【００３０】
請求項２４記載の画像形成装置は、請求項１４乃至２３のいずれか１項に記載の記録材量測定装置を備える画像形成装置であって、前記算出された記録材量に基づいて、前記記録媒体に画像を形成するために前記記録媒体に定着する前記記録材の量を制御する記録材量制御手段を備えることを特徴とする。
【手続補正８】
【補正対象書類名】明細書
【補正対象項目名】００７７
【補正方法】変更
【補正の内容】
【００７７】
さらに、画像形成装置４００には、複数の給紙部、つまり給紙カセット１２，１３，１４、及び図９中矢印Ｒ１１方向に引き出し可能な手差し給紙トレイ１１、更に大容量ペーパデッキ１５が設けられている。記録媒体は、これら給紙部のうちのいずれかから給紙ローラ、搬送ローラ、レジストローラ１６を介して転写ベルト１７に供給される。